(57)【特許請求の範囲】
【請求項１】
他の機器からの信号を受信する受信手段と、当該電子時計の動作モードを制御する制御手段と、時間を計時する計時手段と、前記計時手段にて計時された時間を指針位置により表示する表示手段と、予め定められた特定操作がなされることにより、前記制御手段が当該電子時計の計時動作を停止させ、前記表示手段の指針による運針を禁止させるとともに調整モード信号受信待機状態に移行させる操作手段と、を有する電子時計であって、
前記制御手段は、前記操作手段の操作によって当該電子時計が調整モード信号受信待機状態にある際に、前記他の機器である外部調整装置から送信される調整モード信号が前記受信手段で受信されると、当該電子時計の動作モードを調整モードに移行させ、当該電子時計が調整モードにある際に、前記外部調整装置から送信される前記調整モード解除信号が前記受信手段で受信されると、当該電子時計の計時動作を開始させる
ことを特徴とする電子時計。
【請求項２】
請求項１記載の電子時計において、
前記制御手段は、前記調整モード信号受信待機状態において前記受信手段が前記外部調整装置の前記調整モード信号を受信し、且つ、前記操作手段において所定操作および前記所定操作と異なる他の所定操作がなされると当該電子時計を調整モードに移行させる
ことを特徴とする電子時計。
【請求項３】
請求項２記載の電子時計において、
前記表示手段の指針位置は、前記所定操作と前記他の所定操作との間に、所望の時刻に合わせられる
ことを特徴とする電子時計。
【請求項４】
請求項１記載の電子時計において、
前記計時手段は、コイルを有し前記指針を駆動するモータを備え、
前記受信手段は、前記外部調整装置から電磁信号として送信される前記調整モード信号あるいは前記調整モード解除信号を前記コイルを介して受信する
ことを特徴とする電子時計。
【請求項５】
請求項１ないし請求項４のいずれかに記載の電子時計において、
前記調整モード信号受信待機状態の期間を一定期間に定めた
ことを特徴とする電子時計。
【請求項６】
請求項１ないし請求項４のいずれかに記載の電子時計において、
前記電子時計は前記調整モード中に前記外部調整装置から歩度補正用の補正データを受信する
ことを特徴とする電子時計。
【請求項７】
計時された時間を指針により表示する通常動作モード、計時動作の停止により前記指針による運針を禁止する調整モード信号受信待機モード、調整モード信号受信待機状態にある際に調整モード信号を受信することにより移行される調整モード、これらのモードに移行することを制御する制御手段を有する電子時計に対し、
当該電子時計を計時動作停止状態で各種調整を行うための調整モードに移行させるための調整モード信号、および前記調整モードにある電子時計の計時動作を開始させるための調整モード解除信号を、前記電子時計に送信する調整モード制御信号送信手段を備えた
ことを特徴とする外部調整装置。
【請求項８】
他の機器からの信号を受信する受信部と、当該電子時計の動作モードを制御する制御部と、時間を計時する計時部と、前記計時部にて計時された時間を指針位置により表示する表示部と、予め定められた特定操作がなされることにより、前記制御部が当該電子時計の計時動作を停止させ、前記表示部の指針による運針を禁止させるとともに調整モード信号受信待機状態に移行させる操作部と、を有する電子時計の制御方法であって、
前記操作部に対して予め定められた特定操作がなされた場合に、前記電子時計の計時動作を停止させ、調整モード信号受信待機状態に移行させ、前記調整モード信号受信待機状態にある場合に調整モード信号が前記受信部で受信されると、当該電子時計の動作モードを調整モードに移行させ、前記調整モードにある場合に調整モード解除信号が前記受信部で受信されると、当該電子時計の計時動作を開始させる
ことを特徴とする電子時計の制御方法。
【請求項９】
計時された時間を指針により表示する通常動作モード、計時動作の停止により前記指針による運針を禁止する調整モード信号受信待機モード、調整モード信号受信待機状態にある際に調整モード信号を受信することにより移行される調整モード、これらのモードに移行することを制御する制御手段を有する電子時計に対し、
当該電子時計を計時動作停止状態で各種調整を行うための調整モードに移行させるための調整モード信号、および前記調整モードにある電子時計の計時動作を開始させるための調整モード解除信号を送信する
ことを特徴とする外部調整装置の制御方法。
【発明の詳細な説明】
【０００１】
【発明の属する技術分野】
本発明は、電子時計、外部調整装置およびそれらの制御方法に関し、特に製造工程における時刻合わせ調整および歩度調整に関するものである。
【従来の技術】
従来、電子時計の製造工程において時刻合わせを行う場合、一般ユーザが行うのと同様、予め時分秒の表示を所定の時刻に合わせ、その時刻になると同時に計時を再開させるか又は秒リセット操作をする必要があった。
この時刻合わせ操作を、機械的に時針、分針、秒針等が駆動されるアナログ式の電子時計（以下、「アナログ電子時計」という。）を例により具体的に説明する。
先ず、０秒位置でリューズを引き秒針を０秒位置に止め、次にリューズの回転により時針と分針を所定の時刻に合わせ、その所定の時刻になると同時にリューズを押し込んで計時を再開させることとなる。
【０００２】
【発明が解決しようとする課題】
ところで、電子時計には様々なデザイン（外装、ボタン配置等）があるため、これらの一連の操作の自動化は困難であり、１個づつ人手を介して行っていた。
しかしながら、一人の担当者で一度に多数の電子時計の時刻合わせを行うことは困難であり、時刻合わせに多くの時間を要することになる。すなわち、通常、毎正分にしかリューズを押し込めないため担当者一人あたり１分に一つの電子時計の時刻合わせしかできないため極めて作業能率が悪かった。
また、この時刻合わせの工程は電子時計の検査工程や調整工程と独立して行われていたため、全体の工程期間が長くなるという問題があった。
そこで、本発明の目的は、時刻合わせ作業の能率を向上し、全体の工程数を削減することが可能な電子時計、外部調整装置およびそれらの制御方法を提供することにある。
【０００３】
【課題を解決するための手段】
上記課題を解決するため、請求項１記載の構成は、他の機器からの信号を受信する受信手段と、当該電子時計の動作モードを制御する制御手段と、時間を計時する計時手段と、前記計時手段にて計時された時間を指針位置により表示する表示手段と、予め定められた特定操作がなされることにより、前記制御手段が当該電子時計の計時動作を停止させ、前記表示手段の指針による運針を禁止させるとともに調整モード信号受信待機状態に移行させる操作手段と、を有する電子時計であって、前記制御手段は、前記操作手段の操作によって当該電子時計が調整モード信号受信待機状態にある際に、前記他の機器である外部調整装置から送信される調整モード信号が前記受信手段で受信されると、当該電子時計の動作モードを調整モードに移行させ、当該電子時計が調整モードにある際に、前記外部調整装置から送信される前記調整モード解除信号が前記受信手段で受信されると、当該電子時計の計時動作を開始させることを特徴としている。
【０００４】
請求項２記載の構成は、請求項１記載の電子時計において、前記制御手段は、前記調整モード信号受信待機状態において前記受信手段が前記外部調整装置の前記調整モード信号を受信し、且つ、前記操作手段において所定操作および前記所定操作と異なる他の所定操作がなされると当該電子時計を調整モードに移行させることを特徴としている。
【０００５】
請求項３記載の構成は、請求項２記載の電子時計において、前記表示手段の指針位置は、前記所定操作と前記他の所定操作との間に、所望の時刻に合わせられることを特徴としている。
【０００６】
請求項４記載の構成は、請求項１記載の電子時計において、前記計時手段は、コイルを有し前記指針を駆動するモータを備え、前記受信手段は、前記外部調整装置から電磁信号として送信される前記調整モード信号あるいは前記調整モード解除信号を前記コイルを介して受信することを特徴としている。
【０００７】
請求項５記載の構成は、請求項１ないし請求項４のいずれかに記載の電子時計において、前記調整モード信号受信待機状態の期間を一定期間に定めたことを特徴としている。
【０００８】
請求項６記載の構成は、請求項１ないし請求項４のいずれかに記載の電子時計において、前記電子時計は前記調整モード中に前記外部調整装置から歩度補正用の補正データを受信することを特徴としている。
【０００９】
請求項７記載の外部調整装置の構成は、計時された時間を指針により表示する通常動作モード、計時動作の停止により前記指針による運針を禁止する調整モード信号受信待機モード、調整モード信号受信待機状態にある際に調整モード信号を受信することにより移行される調整モード、これらのモードに移行することを制御する制御手段を有する電子時計に対し、当該電子時計を計時動作停止状態で各種調整を行うための調整モードに移行させるための調整モード信号、および前記調整モードにある電子時計の計時動作を開始させるための調整モード解除信号を、前記電子時計に送信する調整モード制御信号送信手段を備えたことを特徴としている。
【００１０】
請求項８記載の電子時計の制御方法は、他の機器からの信号を受信する受信部と、当該電子時計の動作モードを制御する制御部と、時間を計時する計時部と、前記計時部にて計時された時間を指針位置により表示する表示部と、予め定められた特定操作がなされることにより、前記制御部が当該電子時計の計時動作を停止させ、前記表示部の指針による運針を禁止させるとともに調整モード信号受信待機状態に移行させる操作部と、を有する電子時計の制御方法であって、前記操作部に対して予め定められた特定操作がなされた場合に、前記電子時計の計時動作を停止させ、調整モード信号受信待機状態に移行させ、前記調整モード信号受信待機状態にある場合に調整モード信号が前記受信部で受信されると、当該電子時計の動作モードを調整モードに移行させ、前記調整モードにある場合に調整モード解除信号が前記受信部で受信されると、当該電子時計の計時動作を開始させることを特徴としている。
【００１１】
請求項９記載の電子時計の制御方法は、計時された時間を指針により表示する通常動作モード、計時動作の停止により前記指針による運針を禁止する調整モード信号受信待機モード、調整モード信号受信待機状態にある際に調整モード信号を受信することにより移行される調整モード、これらのモードに移行することを制御する制御部を有する電子時計に対し、当該電子時計を計時動作停止状態で各種調整を行うための調整モードに移行させるための調整モード信号、および前記調整モードにある電子時計の計時動作を開始させるための調整モード解除信号を送信することを特徴としている。
【００３０】
【発明の実施の形態】
以下、図１ないし図８を参照して本発明の実施の形態についてアナログ電子時計を例にとって説明する。
［Ａ］  第１実施形態
図１ないし図４は、本発明の第１の実施の形態についての説明図であり、図１は、アナログ電子時計の主要な構成を示すブロック図、図２は電子時計の外部調整装置の主要な構成を示すブロック図、図３は第１の実施の形態に係る電子時計の時刻合わせ工程におけるタイミングチャート、図４は第１の実施の形態に係る電子時計の時刻合わせ工程のフローチャートである。
【００３１】
図１に示すアナログ電子時計１０において、発振回路１１は、例えば水晶発振器であり、基準発振信号を生成する。分周回路１２は、カウンタなどで構成され、入力された基準発振信号を分周して基準パルス信号を出力するものである。駆動パルス生成回路１３は、ゲート回路などで構成され入力された基準パルス信号に基づいて駆動パルス信号を生成するものである。モータドライバ１４は、高出力電流のＭＯＳトランジスタなどで構成され、入力された駆動パルス信号に基づいて指針駆動用のモータコイル１５を駆動する。受信回路２１は、コンパレータ回路、ラッチ回路、ゲート回路などにより構成されモータコイル１５を介して後に説明する外部調整装置からの各種データを受信する。モード制御回路２２は、ゲート回路、ラッチ回路などで構成され受信回路２１により受信されたデータに基づいて各種制御を行うものである。
【００３２】
リセット回路２５は、ゲート回路、カウンタなどで構成され、チャタリング防止回路を含むとともに、リューズスイッチ（リセットスイッチ）２４が操作されたことを検出して、分周回路１２、モード制御回路２２およびタイマ２３のリセット処理を行うものである。
また、針合わせ部５０は、リューズ、針合わせ輪列などにより構成され、指針位置をユーザが所望の時刻に合わせるものであり、リューズスイッチ２４は針合わせ部５０の操作に連動してＯＮ／ＯＦＦされることとなる。
【００３３】
図２は、本実施形態において用いられる外部調整装置３０の構成を示すブロック図である。同図において３１は、図示しない発振回路、分周回路等を含む計時回路であり、予め設定された時間を計時すると制御回路３２に計時終了信号を出力する。制御回路３２はゲート回路、ラッチ回路などあるいはマイクロプロセッサなどにより構成され、計時回路３１からの計時終了信号を受けてモード信号生成回路３３に調整モード解除信号を生成すべき旨の生成指示信号を出力する。モード信号生成回路３３は、ゲート回路などで構成され、入力された生成指示信号を受けて調整モード解除信号を生成し送信回路３４に調整モード解除信号を出力する。送信回路３４は高出力電流のＭＯＳトランジスタ、ラッチ回路、ゲート回路などで構成され、調整モード解除信号が入力され、この調整モード解除信号をコイル３５を介してアナログ電子時計１０に送信する。なお、３６は外部調整回装置３０を動作モードと非動作モードとに切り替える切り替えスイッチである。
【００３４】
次に、図４のフローチャートを参照して、本発明の第１の実施の形態に係るアナログ電子時計の時刻合わせ工程について説明する。
時刻合わせの工程において、先ず、作業者が秒針が０秒位置に至った瞬間に針合わせ部５０のリューズを引き、押し込む操作を連続して３回繰り返したか否かを判定する（ステップＳ１）。この場合において、リューズを引いた状態では、リューズスイッチ２４は「ＯＮ」状態となり、リューズを押し込んだ状態ではリューズスイッチ２４は「ＯＦＦ」状態となるものとする。
ステップＳ１における判定がＮであれば、処理を終了して通常の計時動作に戻る。
また、ステップＳ１がＹであれば、３回のＯＮ／ＯＦＦ操作が１秒以内に行われたか否かが判定される（ステップＳ２）。ステップＳ２がＹであれば、アナログ電子時計１０の動作モードは調整モード（ステップＳ３）となり、Ｎであれば処理を終了して通常の計時動作に戻る。
【００３５】
次に、調整モードにおいて作業者は、再び針合わせ部５０のリューズを引いて（リューズスイッチ２４はＯＮ状態）、回転することによって、所定の時刻、すなわち他の調整作業終了予定時刻以降の所定の時刻に時針、分針を合わせる（ステップＳ４）。この場合において、一度調整モードに移行すると、アナログ電子時計１０は、後述する調整モード解除信号を受信するまでは運針を開始することはない。
そして、作業者は、以上のステップＳ１〜ステップＳ４までの操作を複数のアナログ電子時計１０について行う。これによって、所定の時刻にセットされ調整モードとなった複数のアナログ電子時計１０が準備されることになる。
そして、外部調整装置３０は各アナログ電子時計について歩度調整等の各種調整を行う。すべての調整が終了し、複数のアナログ電子時計１０がセットされた前記所定の時刻（ステップＳ４で合わせた時刻）になると、外部調整装置３０は、調整モード解除信号を送信回路３４からコイル３５を介して全アナログ電子時計１０に対し、一斉に送信する（ステップＳ５）。
【００３６】
各アナログ電子時計１０はモータコイル１５を介して受信回路２１が調整モード解除信号を受信しモード制御回路２２に出力する。
モード制御回路２２はこの調整モード解除信号を受けて、調整モードを解除するとともにリセット回路２５を介して分周回路１２を初期化してモータ駆動パルスの出力を再開する（ステップＳ７）。この結果、各アナログ電子時計１０は計時動作を開始することになる。
従って、外部調整装置３０のコイル３５を送信回路３４に並列に必要な数だけ設ければ、これらの複数のコイルに対応して複数のアナログ電子時計を配置することにより、複数のアナログ電子時計の時刻合わせを同時に行うことが可能になる。
【００３７】
次に、図３のタイミングチャートを参照して、本発明の第１の実施の形態に係るアナログ電子時計の時刻合わせ工程についてより具体的に説明する。
時刻合わせの工程において、作業者は先ず、秒針が０秒位置に至った瞬間に針合わせ部５０のリューズを引きリューズスイッチ２４をＯＮ状態とし、針合わせ部５０のリューズを押し込みリューズスイッチ２４をＯＦＦ状態とする操作を連続して３回繰り返す。その結果、図３（ｄ）に示すようなリューズ信号が発生する。
この際、最初に針合わせ部５０においてリューズを引いてリューズスイッチ２４がＯＮ状態になった時刻ｔ１に同期して分周回路１２、モード制御回路御２２、タイマ２３はリセット回路２５により初期状態にリセットされ、図３（ｃ）に示すようにＥＮＡＢＬＥ信号が立ち上がり所定時間（この例では時刻ｔ３まで１秒間）"Ｈ"レベルを維持する。
そして、３回目のリューズの押し込み（リューズスイッチ２４のＯＦＦ操作）の時刻ｔ２がＥＮＡＢＬＥ信号の立下り時刻ｔ３より早ければアナログ電子時計１０は時刻ｔ２に同期して図３（ｅ）に示すように調整モードとなる。この場合、仮に時刻ｔ２がＥＮＡＢＬＥ信号の立下り時刻ｔ３より遅ければアナログ電子時計１０は調整モードとなることなく、処理を終了し通常の計時動作に戻る。
【００３８】
さて、アナログ電子時計１０が調整モードに移行すると、先に図４のフローチャートを参照して説明したように、作業者により所定時刻に時針、分針を合わせる作業が行われるとともに、外部調整装置３０により歩度調整等の各種調整がおこなわれる。
そして、これらの各種調整等が行われた後、時刻ｔ４になると、外部調整装置３０から送信された所定のパターン（図３（ｂ）参照）を有する調整モード解除信号をアナログ電子時計１０が受信し、時刻ｔ５における調整モード解除信号の最後のパルスに同期して調整モードが解除される。
また、この時刻ｔ５に同期して、分周回路１２は初期化され、図３（ａ）に示すように、１秒後からモータ駆動パルスが生成されアナログ電子時計１０は運針を開始する。
【００３９】
なお、以上の説明では、針合わせ部５０においてリューズを操作することにより１秒以内に３回のリューズスイッチ２４のＯＮ／ＯＦＦ操作がなされることを条件に調整モードが設定されたが、これらの条件はこれらに限定されるものではない。すなわち、必要な条件は、秒針が０秒位置に停止し、かつ、一般ユーザが通常行わないであろう操作であることである。
また、秒針が厳密に０秒位置で時刻合わせを行う必要がないラフな精度の時刻合わせが許容される場合は、この条件はより緩和されることは言うまでもない。
また、アナログ電子時計１０を調整モードへ移行させる方法の変形例を図３（ｄ）〜図３（ｆ）を参照して説明する。
【００４０】
すなわち、作業者は先ず、秒針が０秒位置に至った瞬間に針合わせ部５０においてリューズを引き、リューズスイッチ２４をＯＮ状態とするとともに、秒針を０秒位置に停止させる（時刻ｔ１）。
次に、アナログ電子時計１０のリューズスイッチ２４の状態がＯＦＦ／ＯＮ／ＯＦＦ／ＯＮ／ＯＦＦとＯＦＦ状態が３回出現するように針合わせ部５０のリューズを操作する。そして、リューズスイッチ２４の３回のＯＦＦ操作が１秒以内に行われたか否かを判定する。
このとき最初のＯＦＦ操作（時刻ｔ１´）に同期してタイマ２３はモード制御回路のＥＮＡＢＬＥ信号を時刻ｔ１´から時刻ｔ３´までの１秒間"Ｈ"レベルに設定する。そして、この１秒以内に３回のＯＦＦ操作が行われた場合、アナログ電子時計１０は調整モードとなる。
【００４１】
このようにすることで、作業者は、秒針が０秒位置に至った瞬間に針合わせ部５０においてリューズを操作して、リューズスイッチ２４を連続して３回ＯＮ／ＯＦＦ操作する必要がなくなる。
すなわち先ず、秒針が０秒位置に至った瞬間に針合わせ部５０においてリューズを引き、リューズスイッチ２４をＯＮ状態とするともに、秒針を０秒位置に停止させ、一息入れてリューズスイッチ２４がＯＦＦ／ＯＮ／ＯＦＦ／ＯＮ／ＯＦＦとＯＦＦ状態が３回出現するように針合わせ部５０においてリューズを操作することで、アナログ電子時計を調整モードに移行させることができ、作業者の負担を軽減することができる。
また、本変形例によれば、１秒以内にリューズスイッチ２４がＯＮ／ＯＦＦするように針合わせ部５０においてリューズを操作しても秒針が運針されることはないため、最初に針合わせ部５０においてリューズを引いた後、所定の時刻に時分針を合わせてから調整モードに投入することが可能となる。
【００４２】
［Ｂ］  第２実施形態
図５ないし図８は、本発明の第２の実施の形態についての説明図であり、図５は、アナログ電子時計の主要な構成を示すブロック図、図６は電子時計の外部調整装置の主要な構成を示すブロック図、図７は第２の実施の形態に係る電子時計の時刻合わせ工程および歩度調整工程におけるタイミングチャート、図８は第２の実施の形態に係る電子時計の時刻合わせ工程および歩度調整工程のフローチャートである。
図５に示すアナログ電子時計１０´において、先に図１を参照して説明した第１の実施形態に係るアナログ電子時計１０と同様の部分には同一の符号を付して一部説明を省略する。図５において、歩度測定パルス生成回路２６は、ゲート回路などで構成され、モード制御回路２２の指令により歩度測定用のパルスを生成し駆動パルス生成回路１３、モータドライバ１４、モータコイル１５を介して後述する外部調整装置３０´に歩度測定パルスを送信する。
【００４３】
また、データ制御回路２７はゲート回路、ラッチ回路などで構成され、後述する外部調整装置３０´から送信された補正データ信号をモータコイル１５、受信回路２１を介して取得し、モード制御回路２２の管理のもとで補正データに変換して記憶回路２８に出力する。そして、記憶回路２８はＥＥＰＲＯＭなどの不揮発性メモリでありこの補正データを記憶する。歩度調整回路２９は、記憶回路２８に記憶されている補正データに基づいて分周回路１２を制御し、歩度調整を行うものである。
図６は本発明の第２の施形態において用いられる外部調整装置３０´の構成を示すブロック図である。図６に示す外部調整装置３０´において、先に図２を参照して説明した第１の実施形態に係る外部調整装置３０と同様の部分には、同一の符号を付して一部説明を省略する。
【００４４】
図６において、歩度測定回路３８は、通常運針時におけるアナログ電子時計１０´から受信回路３７で受信した歩度測定パルスを測定する。制御回路３２は、外部調整装置３０´全体を制御するものである。モード信号生成回路３３は、この制御回路３２による制御の下、アナログ電子時計１０´のモード移行のための制御信号を生成し出力するものである。補正データ生成回路３９は、カウンタ、ラッチ回路、ゲート回路などあるいはマイクロプロセッサなどにより構成され、制御回路３２による制御の下、歩度補正データの生成を行うものである。補正データ信号生成回路４０は、カウンタ、ラッチ回路、ゲート回路などで構成され、生成された歩度補正データに基づいて送信に用いられる補正データ信号を生成するものである。送信回路３４は、制御回路３２による制御の下、アナログ電子時計１０´に歩度補正データ信号および調整モード解除信号をコイル３５を介して送信する。
【００４５】
次に、図８のフローチャートを参照して、本発明の第２の実施の形態に係るアナログ電子時計１０´の時刻合わせ工程および歩度調整工程について説明する。
時刻合わせの工程において、作業者は先ず、秒針が０秒位置に至った瞬間に針合わせ部５０においてリューズを引く（ステップＳ０）。以下の説明においては、この針合わせ部５０においてリューズを引いた状態では、リューズスイッチ２４が「ＯＮ」状態となり、針合わせ部５０においてリューズを押し込んだ状態ではリューズスイッチ２４が「ＯＦＦ」状態となるものとする。そして、秒針を０秒位置に停止させ運針を停止する（ステップＳ１）。この操作によりアナログ電子時計１０´は、外部調整装置３０´からの調整モード信号の受信待機状態に移行する。
次に、作業者は、針合わせ部５０においてリューズを回転させることにより、時針と分針を所定の時刻に合わせる（ステップＳ２）。
【００４６】
そして、この調整モード信号の受信待機状態に外部調整装置３０´から調整モード信号を受信（ステップ３がＹ）すると、ステップ４へ進む。
次に、ステップ１で針合わせ部５０においてリューズが引かれてから（リューズスイッチ２４がＯＮ状態となってから）一定期間内に調整信号を受信したか否かが判定される（ステップＳ４）。
ステップ４がＹであればステップＳ５へ進む。
ステップＳ４がＹの場合、針合わせ部５０においてリューズが押し込まれリューズスイッチ２４がオフ状態なると（ステップＳ５）、アナログ電子時計１０´は、調整モードに移行する（ステップＳ６）。
この場合において、通常のアナログ電子時計は針合わせ部５０においてリューズを押し込むと分周回路が初期化され、１秒後からモータ駆動パルスを出力し運針を開始するが、本実施の形態に係るアナログ電子時計１０´では、一度調整モードに移行すると、再度針合わせ部５０においてリューズを引いたり、押し込んだりしてもモータ駆動パルスの出力は再開されず、調整モードが維持される。なお、先にステップＳ２で行った時針と分針を所定の時刻に合わせる操作は、この調整モードに移行してから行ってもよい。
【００４７】
次に、ステップＳ６で調整モードに移行した後のアナログ電子時計の調整工程について説明する。
アナログ電子時計１０´は、調整モードに移行すると歩度測定パルスを外部調整装置３０´に送信する（ステップＳ７）。
外部調整装置３０´は、この歩度測定パルスを受信し歩度に関する補正データを計算し（ステップＳ８）、補正データ信号に変換してアナログ電子時計１０´へ送信する（ステップＳ９）。
そして、アナログ電子時計１０´は、この補正データ信号を記憶回路２８に書き込む（ステップＳ１０）。
なお、ステップＳ７からステップＳ１０の歩度調整工程は、調整モード期間中に行われるものである。
作業者は、以上のステップＳ０〜ステップＳ５までの操作を複数のアナログ電子時計１０´について行う。これによって、所定の時刻にセットされ調整モードとなるとともに歩度調整の行われた（ステップＳ６〜ステップＳ１０）複数のアナログ電子時計１０´が準備されることになる。
【００４８】
そして、外部調整装置３０´は、複数のアナログ電子時計１０´がセットされた所定の時刻（ステップＳ２で合わせた時刻）になると、調整モード解除信号をアナログ電子時計１０´に送信する（ステップＳ１１）。
アナログ電子時計１０´は、この調整モード解除信号を受信し、分周回路１２を初期化して（ステップＳ１３）モータ駆動パルスの出力を再開して運針停止を解除する（ステップＳ１４）。この結果、各アナログ電子時計１０´は計時動作を開始することになる。
従って、外部調整装置３０´のコイル３５を送信回路３４に並列に必要な数だけ設ければ、これらの複数のコイルに対応して複数のアナログ電子時計１０´を配置することにより、複数のアナログ電子時計１０´について歩度調整と時刻合わせを同時に行うことが可能になる。
また、ここで説明した例では、調整モード信号の受信待機状態に外部調整装置３０´から調整モード信号を受信し、リューズスイッチ２４が押し込まれると、アナログ電子時計１０´は、調整モードに移行する（ステップＳ６）ものとして説明したが、これに限ることなく、調整モード信号の受信待機状態期間中に外部調整装置３０´から調整モード信号を受信する（ステップＳ３、Ｓ４がＹ）と直ちに調整モードに移行するようにしてもよい。
【００４９】
また、ステップＳ３又はステップＳ４がＮの場合はアナログ電子時計１０´は調整モードに移行することなくリューズスイッチ２４が押し込まれると（ステップＳ１２）、リセット回路２５は分周回路１２を初期化し（ステップＳ１３）、運針停止状態を解除して通常のアナログ電子時計と同様に計時を開始する（ステップ１４）。
次に、図７のタイミングチャートを参照して、本発明の第２の実施の形態に係るアナログ電子時計の時刻合わせ工程および歩度調整工程についてより具体的に説明する。
時刻合わせの工程および歩度調整工程において、作業者は先ず、秒針が０秒位置に至った瞬間に針合わせ部５０においてリューズを引いて運針を停止させこの間に時針、分針を所定の時刻に合わせる。
この針合わせ部５０においてリューズを引く操作（リューズスイッチ２４がＯＮ状態となる操作）に同期して、図７（ｅ）、（ｄ）に示すように時刻ｔ１にリューズ信号とＥＮＡＢＬＥ信号が同時に立ち上がり"Ｈ"レベルとなる。また、この針合わせ部５０のリューズを引く操作（リューズスイッチ２４をＯＮ状態とする操作）により分周回路１２、モード制御回路御２２、タイマ２３はリセット回路２５により初期状態にリセットされる。
【００５０】
ここで、図７（ｄ）に示すＥＮＡＢＬＥ信号は所定時間（この例では時刻ｔ２まで１秒間）"Ｈ"レベルを維持し、この期間アナログ電子時計１０´は外部調整装置３０´からの調整モード信号の受信待機状態に移行する。
そして、この調整モード信号の受信待機状態において、外部調整装置３０´のモード信号生成回路３３で生成され送信回路３４、コイル３５を介して送信された調整モード信号（図７（ｃ）参照）をアナログ電子時計１０´がモータコイル１５、受信回路２１を介して受信し、その後針合わせ部５０において、リューズが時刻ｔ３に押し込まれると（リューズスイッチ２４がオフ状態となると）、アナログ電子時計１０´は調整モードに移行する（図７（ｆ）参照）。
アナログ電子時計１０´は、調整モードに移行するとモード制御回路２２の指令によって歩度測定パルス生成回路２６は、分周回路１２が現在生成している基準パルス信号より歩度測定パルスを生成して、駆動パルス生成回路１３、モータドライバ１４、モータコイル１５を介して外部調整装置３０´に一定時間送信する（図７（ａ）参照）。なお、ここで、歩度測定パルスはモータが回転しない程度の短いパルス（例えば０．２４４ｍｓｅｃ）であり、その周期は発振回路１１の発振周波数に比例したものである。
【００５１】
外部調整装置３０´は、この歩度測定パルスをコイル３５を介して受信回路３７で受信し、歩度測定回路３８へ出力する。歩度測定回路３８はこの歩度測定パルスを測定し正確な歩度パルスと比較し誤差信号を補正データ生成回路３９へ出力する。
補正データ生成回路３９はこの誤差データに基づき制御回路３２による制御の下、歩度補正データの生成を行い、補正データ信号生成回路４０へ出力する。そして、補正データ信号生成回路４０は、生成された歩度補正データに基づいて送信に用いられる補正データ信号を生成し送信回路３４へ出力する。
送信回路３４は、補正データ信号をコイル３５を介してアナログ電子時計１０´に送信する。アナログ電子時計１０´はモータコイル１５を介して受信回路２１でこの補正データ信号を受信し（図７（ｃ）参照）、データ制御回路２７へ出力する。そして、データ制御回路２７はモード制御回路２２の管理のもとで記憶回路２８に補正データを書き込む。
歩度調整回路２９は、記憶回路２８に記憶されている補正データに基づいて分周回路１２を制御し、歩度調整を行う。
【００５２】
そして、この歩度調整が複数のアナログ電子時計１０´について行われた後、外部調整装置３０´は、計時回路３１により計時し、複数のアナログ電子時計１０´がセットされた前記所定の時刻ｔ４になると、所定のパターン（図７（ｃ）参照）を有する調整モード解除信号を送信回路３４からコイル３５を介してアナログ電子時計１０´に送信する。
アナログ電子時計１０´はモータコイル１５を介して受信回路２１がこの信号を受信しモード制御回路２２に出力する。モード制御回路２２はこの調整モード解除信号を受けて、時刻ｔ５において調整モード解除信号に同期して調整モードを解除するとともにリセット回路２５を介して分周回路１２を初期化して、モータ駆動パルスの出力を再開して運針停止を解除する。
［Ｃ］  変形例
なお、以上の説明では、アナログ電子時計（機械的に時針、分針、秒針等が駆動されるアナログ式の電子時計）を例にとって説明してきたが、本発明はこれに限定されるものではない。すなわち、いわゆるデジタル電子時計（時分秒等が液晶表示等によって行われる電子時計）にも適用可能である。この場合には、アナログ電子時計で外部調整装置からの信号を受信するために用いられたモータ駆動用のコイルに代えて別途受信アンテナの機能を有する素子を用いればよい。
【００５３】
【発明の効果】
以上の説明のように、本発明の電子時計およびその制御方法によれば、従来のように、個々の電子時計について毎正分を待って運針再開や秒リセットを作業者が行う必要がなく、一度に多数の電子時計の時刻合わせをすることが可能になり、時刻合わせ工程の作業効率が大幅に向上することになる。
また、時刻合わせ工程と、歩度調整工程を同一の工程で行うことが出来、工程期間の削減が可能となる。
さらに、時刻合わせ工程において、多数の電子時計の個々について同一の時刻に分針や時針を合わせれば良くなるため、作業者の時分の設定ミスも減らすことができる。
【図面の簡単な説明】
【図１】  第１の実施の形態に係るアナログ電子時計の主要な構成を示すブロック図である。
【図２】  電子時計の外部調整装置の主要な構成を示すブロック図である。
【図３】  第１の実施の形態に係る電子時計の時刻合わせ工程におけるタイミングチャートである。
【図４】  第１の実施の形態に係る電子時計の時刻合わせ工程のフローチャートである。
【図５】  第２の実施の形態に係るアナログ電子時計の主要な構成を示すブロック図である。
【図６】  電子時計の外部調整装置の主要な構成を示すブロック図である。
【図７】  第２の実施の形態に係る電子時計の時刻合わせ工程および歩度調整工程におけるタイミングチャートである。
【図８】  第２の実施の形態に係る電子時計の時刻合わせ工程および歩度調整工程のフローチャートである。
【符号の説明】
１０、１０´……アナログ電子時計
１１……発振回路
１２……分周回路
１３……駆動パルス生成回路
１４……モータドライバ
１５……モータコイル
２１……受信回路
２２……モード制御回路
２３……タイマ
２４……リューズスイッチ
２５……リセット回路
２６……歩度測定パルス生成回路
２７……データ制御回路
２８……記憶回路
２９……歩度調整回路
３０、３０´……外部調整装置
３１……計時回路
３２……制御回路
３３……モード信号生成回路
３４……送信回路
３５……コイル
３６……切り替えスイッチ
３７……受信回路
３８……歩度測定回路
３９……補正データ生成回路
４０……補正データ信号生成回路
【図１】
0003911970.tif 000002
【図２】
0003911970.tif 000003
【図３】
0003911970.tif 000004
【図４】
0003911970.tif 000005
【図５】
0003911970.tif 000006
【図６】
0003911970.tif 000007
【図７】
0003911970.tif 000008
【図８】
0003911970.tif 000009